(57)【要約】【課題】本発明の目的は、予め定めた個数以上のメダル・コインの流下を確実に防止することができるメダル・コイン流下装置を提供することにある。【解決手段】本発明で特徴的なことは、メダル・コイン流下装置１０が、メダル・コイン通路２０に突出してメダル・コインの流下を防止するブロック片３３５と、このブロック片３３５の上流に配され、メダル・コインの流下速度を低減させるブレーキ片３４０を有していることである。また、メダル・コイン流下装置１０は、メダル・コイン検出器３３６を備えており、流下してくるメダル・コインを検出し、規定数を超えるメダル・コインが流下してきた場合にソレノイド４００に消磁の指令を出し、ブロック片３３５とブレーキ片３４０をメダル・コイン通路２０に突出させる役割を担っている。【選択図】        図１
2004208861.tif 000002
【特許請求の範囲】
【請求項１】
装置本体と、
装置本体に設けられる通路であって、投入されたメダル・コインのうち、真正なメダル・コインのみを流下させるメダル・コイン通路と、
を有するメダル・コイン流下装置において、
メダル・コインの流下個数を計数するメダル・コイン計数器と、
メダル・コイン通路に突出し、メダル・コインの流下を防止するブロック片と、
ブロック片の上流に配され、メダル・コインがないときには、メダル・コイン通路に突出してメダル・コインの流下を防止し、メダル・コインがあるときには、メダル・コインに接触してメダル・コインの流下速度を低減するブレーキ片と、
を有し、
ブロック片とブレーキ片は、予め定めた個数のメダル・コインが流下したときに、予め定めた個数以上のメダル・コインの流下を防止すること、
を特徴とするメダル・コイン流下装置。
【請求項２】
請求項１に記載のメダル・コイン流下装置において、
ブレーキ片には、更に、
メダル・コイン通路の一部を形成するための可動通路板が設けられ、
可動通路板は、
ブレーキ部がメダル・コイン通路から退避しているときに、メダル・コイン通路の一部を形成し、
ブレーキ部がメダル・コイン通路に突出しているときに、メダル・コイン通路から退避してメダル・コイン通路内に開口部を形成し、流下するメダル・コインを開口部からメダル・コイン通路外に排出すること、
を特徴とするメダル・コイン流下装置。
【請求項３】
請求項１又は２に記載のメダル・コイン流下装置において、ブロック片とブレーキ片は、一体に形成されるとともに、
同一の駆動源によって駆動されること、
を特徴とするメダル・コイン流下装置。
【請求項４】
請求項３に記載のメダル・コイン流下装置において、
ブロック片のメダル・コイン通路への突出量が、ブレーキ片よりも大きいこと、
を特徴とするメダル・コイン流下装置。
【発明の詳細な説明】
【０００１】
【発明の属する技術分野】
本発明は、メダル・コイン流下装置、特に、メダル・コイン通路にブロック片とブレーキ片を設けることによって、予め定めた個数以上のメダル・コインの流下を確実に防止することを特徴とするメダル・コイン流下装置に関する。
【０００２】
【従来の技術】
例えば、ゲームセンタなどに設置される遊技機には、メダル・コイン投入口から投入されたメダル・コインの真偽を判定し、偽物を排除して、真正なもののみ選び出すメダル・コイン流下装置を設けているものがある。このメダル・コイン流下装置の一例を図２１、２２を用いて説明する。ここで、図２１は、従来の技術に係るメダル・コイン流下装置の構造を説明するための斜視図であり、カバープレート１８を開けた状態を示している。また、図２２は、図２１に示すメダル・コイン流下装置のカバープレート１８を閉じた状態を示す正面図である。
【０００３】
メダル・コイン流下装置１０は、真正なメダル・コインを選別するために、メダル・コインの直径、厚さなどから機械的に選別を行う部分を含む装置本体１２を有している。装置本体１２は、ベース１６とカバープレート１８を含み、その使用に当たっては、図２２で示すように、カバープレート１８がベース１６に重ね合わされ、これらの隙間にメダル・コインが通過するためのメダル・コイン通路２０が形成される。メダル・コイン通路２０は、その入口１４付近においてメダル・コインが垂直に降下する部分（以下、垂直部分と記す）を有しており、これに続いて斜めに傾斜した部分（以下、傾斜部分と記す）を有している。矢印Ａの方向より投入されたメダル・コインは、傾斜部分によって斜めに向きを変えられ、出口２１に送り出される。
【０００４】
メダル・コイン通路２０の垂直部分には、通路幅をメダル・コインの直径に相当する幅に規制する幅規制ガイド２４が設けられている。この幅規制ガイド２４によって、真正なメダル・コインよりも大きな直径のメダル・コインが投入されることを防止している。
【０００５】
また、メダル・コイン通路２０のほぼ全長にわたって、通路の厚みを真正なメダル・コインの厚さに相当する値に規制する厚さ規制リブ２６，２８が、ベース１６とカバープレート１８の双方に設けられている。この厚さ規制リブ２６，２８によって、真正なメダル・コインよりも大きな厚さのメダル・コインが投入されることを防止している。
【０００６】
これらの幅規制ガイド２４と厚さ規制リブ２６，２８は、カバープレート１８が閉じられたときに、メダル・コイン通路２０の幅、厚さを定め、真正なメダル・コインよりも大きな寸法のメダル・コインが投入されないようにするためのものである。
【０００７】
一方、メダル・コイン通路２０の傾斜部には、斜面３０が設けられており、メダルはこの斜面３０上を転がって移動する。カバープレート１８の傾斜部分に相当する位置には、排除窓３２が設けられている。排除窓３２は、メダル・コイン通路２０の傾斜部分に沿って延びる長穴であって、その幅は、真正なメダル・コインの直径よりやや小さくなっている。つまり、カバープレート１８を閉じたときに、斜面３０と、これに平行に延びる排除窓３２の上辺との間隔が真正なメダル・コインの直径よりやや小さくなっているため、真正なメダル・コインは、カバープレート１８によって規制を受け、メダル・コイン通路２０の出口２１に向けて送り出されるが、真正なメダル・コインよりも小さい直径のメダル・コインは、メダル・コイン側面をカバープレート１８によって規制されず、排除窓３２を通って排除される。この際、規定の直径より小さいメダル・コインを排除窓３２より確実に排除するために、ベース１６側からカバープレート１８側にメダル・コインを付勢する排除爪３４が配置されている。真正な直径のメダル・コインであれば、排除爪３４の付勢力を受けてもカバープレート１８に支えられるので、出口２１に向けて転がることができる。一方、直径が小さいメダル・コインの場合は、その上端がカバープレート１８に支持されず、排除窓３２によりカバープレート１８側の通路外に排出される。
【０００８】
ところで、この種の遊技機等においては、予め定めた一遊技当たりの最大投入数およびクレジットの最大貯留数を超えてメダル・コインを投入した場合、最大投入数等を超えて投入されたメダル・コインについては、遊技機に受け入れず、遊技者に返却されることになっている。このメダル・コインの返却機構について、図２１を用いて説明する。
【０００９】
メダル・コイン通路２０には、真正なメダル・コインのみを流下させる機構（２４，２６，２８，３２，３４等）に続いて、ブロック片３５、メダル・コイン検出器３６、メダル・コイン計数器３８が設けられている。ブロック片３５は、例えば、ソレノイド（図示せず）によって駆動されており、ソレノイドの励磁によって、メダル・コイン通路２０から退避し（図２１参照）、ソレノイドの消磁によって、メダル・コイン通路２０に突出することになる。このブロック片３５の動作は、メダル・コイン検出器３６からの信号によって決定されている。メダル・コイン通路２０を流下するメダル・コインの数が、予め定めた一遊技当たりの最大投入数およびクレジットの最大貯留数（以下、５０個として説明する）以内であれば、メダル・コイン検出器３６からの信号はソレノイドに対して励磁を指示し、ブロック片３５は、メダル・コイン通路２０から退避した状態となる。しかし、最大規定数となる５０個目のメダル・コインをメダル・コイン検出器３６が検出した場合には、ソレノイドに対して消磁を指示し、ブロック片３５は、メダル・コイン通路２０に突出して５１個目以降のメダル・コインの流下を阻止することになる。なお、メダル・コイン計数器３８は、メダル・コイン通路２０を通過するメダル・コインの計数精度を高めるために設けられている。
【００１０】
ところで、下記特許文献１には、予め定められた規定数以上のメダルの投入を阻止する装置に関する技術が掲載されている。特許文献１に記載の発明は、メダルが連続状態で投入された場合であっても、規定数以上のメダルが遊技機内に取り込まれてしまう、いわゆる飲み込み現象を確実に阻止することを課題として成されたものである。この課題を解決するために、特許文献１に記載の発明は、メダル投入口とメダル選別装置との間に位置し、流下するメダルをカウントする投入メダルカウント装置と、この投入メダルカウント装置とメダル選別装置の間に位置し、前記投入メダルカウント装置が予め定めた一定数のメダルをカウントした場合に作動して、投入したメダルの流下を一時的に阻止するメダル流下阻止装置を備えることを特徴としている（特許文献１参照）。
【００１１】
【特許文献１】
特許第２７３２１９９号明細書  （第１−３頁、第１図）
【００１２】
【発明が解決しようとする課題】
従来の技術で示したメダル・コイン流下装置には、遊技機等の本体部分の制約から、その外形寸法等を自由に決定することができないという問題がある。この設計上の制約によって、ブロック片とメダル・コイン検出器の位置関係を最適なものにすることができないため、従来の技術に係るメダル・コイン流下装置は、予め定められた規定数以上のメダル・コインの流下阻止を、確実に実施することができなかった。特に、メダル・コインが連続して流下してきた場合には、ブロック片の動作開始が早すぎて、ブロック片が規定数内である５０個目のメダル・コインをブロックしてしまう、あるいは、ブロック片の動作開始が遅すぎて、規定数を超えた５１個目のメダル・コインを通過させてしまう、という異常発生の確率が高かった。
【００１３】
一方、上記特許文献１に開示される発明は、予め定められた規定数以上のメダルの投入を阻止する装置として一見優れているかに思われる。しかし、特許文献１に開示される発明では、従来から設置されているメダル選別装置に加えて、メダル流下阻止装置を設置しなければならない。このメダル流下阻止装置は、メダル選別装置とは駆動源を異にするものである。さらに、メダル流下阻止装置の駆動条件を決定するための投入メダルカウント装置を増設しなければならない。外形寸法等を自由に決定することができないメダル・コイン流下装置にとって、特許文献１に開示される発明を採用することは非常に困難であり、仮に採用できたとしても、大きな設計変更が必要となる。
【００１４】
本発明は、上記のような課題を解決するためになされたものであり、限られた寸法の中で最小限の設計変更を加えることによって、具体的には、ブロック片と同一の駆動源で作動するブレーキ片を設けることによって、予め定めた個数以上のメダル・コインの流下を確実に防止することを目的とする。
【００１５】
【課題を解決するための手段】
以上のような課題を解決するために、本発明に係るメダル・コイン流下装置は、装置本体と、装置本体に設けられる通路であって、投入されたメダル・コインのうち、真正なメダル・コインのみを流下させるメダル・コイン通路と、を有する。このメダル・コイン流下装置は、メダル・コインの流下個数を計数するメダル・コイン計数器と、メダル・コイン通路に突出し、メダル・コインの流下を防止するブロック片と、ブロック片の上流に配され、メダル・コインがないときには、メダル・コイン通路に突出してメダル・コインの流下を防止し、メダル・コインがあるときには、メダル・コインに接触してメダル・コインの流下速度を低減するブレーキ片と、を有している。これらブロック片とブレーキ片は、予め定めた個数のメダル・コインが流下したときに、予め定めた個数以上のメダル・コインの流下を防止すること、を特徴とする。
【００１６】
また、本発明に係るメダル・コイン流下装置のブレーキ片には、メダル・コイン通路の一部を形成するための可動通路板が設けられている。この可動通路板は、ブレーキ部がメダル・コイン通路から退避しているときに、メダル・コイン通路の一部を形成し、ブレーキ部がメダル・コイン通路に突出しているときに、メダル・コイン通路から退避してメダル・コイン通路内に開口部を形成し、流下するメダル・コインを開口部からメダル・コイン通路外に排出すること、を特徴とする。
【００１７】
さらに、本発明に係るメダル・コイン流下装置のブロック片とブレーキ片は、一体に形成されるとともに、同一の駆動源によって駆動されること、を特徴とする。
【００１８】
さらにまた、本発明に係るメダル・コイン流下装置は、ブロック片のメダル・コイン通路への突出量が、ブレーキ片よりも大きいこと、を特徴とする。
【００１９】
【発明の実施の形態】
実施の形態１
以下、本発明の実施の形態１について、図１〜１２を用いて説明する。なお、前述した従来の技術に示した部材と同一又は類似する部材には、同一符号を付して説明を省略する。
【００２０】
図１は、本発明の実施の形態１に係るメダル・コイン流下装置の全体構造を示す斜視図であり、カバープレートを開けた状態を示す図である。また図２は、図１で示した本発明の実施の形態１に係るメダル・コイン流下装置を背面から見た場合の斜視図である。本発明の実施の形態１で特徴的なことは、メダル・コイン通路２０に突出し、メダル・コインの流下を防止するために設置されるブロック片３３５に加えて、このブロック片３３５の上流に設置されるブレーキ片３４０を有していることである。これらブロック片３３５とブレーキ片３４０は、ベース１６背面に設置されているソレノイド４００を駆動源として作動することになる。
【００２１】
また、本発明の実施の形態１に係るメダル・コイン流下装置は、メダル・コイン検出器３３６とメダル・コイン計数器３３８という２つのセンサを備えている。メダル・コイン検出器３３６は、流下してくるメダル・コインを検出し、最大規定数である５０個目のメダル・コインが流下した場合にソレノイド４００に消磁の指令を出し、ブロック片３３５とブレーキ片３４０をメダル・コイン通路２０に突出させ、５１個目以降のメダル・コインの流下を防止する役割を担っている。メダル・コイン計数器３３８は、流下してくるメダル・コインの計数を行うためのセンサであり、メダル・コインの計数精度を高めるために設けられている。
【００２２】
ここで、ブロック片３３５とブレーキ片３４０の構造をさらに詳細に説明するため、図３〜８を用いて説明する。図３〜５は、ブロック片３３５とブレーキ片３４０が、メダル・コイン通路２０から退避した状態を示しており、図６〜８は、ブロック片３３５とブレーキ片３４０が、メダル・コイン通路２０から突出した状態を示している。また、図３、６は、ブロック片３３５とブレーキ片３４０をメダル・コイン流下装置の背面から見た拡大図であり、図４、７は、ブロック片３３５とブレーキ片３４０をメダル・コイン流下装置の前面から見た拡大図であり、図５、８は、ブレーキ片３４０の構造を説明するための縦断面図である。
【００２３】
ブロック片３３５とブレーキ片３４０は、例えば、バネ等の付勢部材５３５，５４０によって、常には、メダル・コイン通路２０に突出する方向の力を受けている。装置本体１２に電源が投入されていない場合、当然ソレノイド４００は消磁しているため、ブロック片３３５とブレーキ片３４０は付勢部材５３５，５４０の付勢力によってメダル・コイン通路２０に突出し、メダル・コインの流下を防止している（図７参照）。装置本体１２に電源が投入され、ソレノイド４００が励磁すると、ブロック片３３５とブレーキ片３４０は付勢部材５３５，５４０の付勢力に反して引っ張られ、メダル・コイン通路２０から退避することになる（図４参照）。また、図３、６で示すとおり、ブロック片３３５とブレーキ片３４０は別部材で構成されており、かつ、同一の軸５００に設置されている。つまり、同一の駆動源によって動作しながらも、メダル・コイン通路２０への突出量は、メダル・コイン通路２０の状態によってそれぞれ異なることになる。
【００２４】
さらに、ブレーキ片３４０には、メダル・コイン通路２０に突出してメダル・コインの流下を防止する部位７００に加えて、メダル・コイン通路２０の一部を形成するための可動通路板７１０が、ブレーキ片３４０に設けられている。この可動通路板７１０は、ソレノイド４００が励磁して、ブレーキ片３４０がメダル・コイン通路２０から退避しているときには、メダル・コイン通路２０の一部を構成している（図５参照）。また、ソレノイド４００が消磁して、ブレーキ片３４０がメダル・コイン通路２０から突出しているときには、メダル・コイン通路２０から退避してメダル・コイン通路内に開口部９００を形成することになる（図８参照）。この開口部９００は、装置本体１２に電源が入っていない場合、あるいは、規定数以上のメダル・コインが流下してきた場合に、メダル・コインを通路外に排出するためのものであり、開口部９００から排出されたメダル・コインは、遊技者に返却されることになる。
【００２５】
なお、ブレーキ片３４０と可動通路板７１０は、別部材で設けることができる。つまり、ブレーキ片３４０は、ソレノイド４００の消磁・励磁により作動する可動通路板７１０に当接して連動動作するように構成してもよい。逆に、同一部材で一体に設けることも可能である。ブレーキ片３４０と可動通路板７１０を別部材で設けることの利点として、例えば、メダル詰まりが発生した場合の解除処置を容易に実施できることが挙げられる。また、ブレーキ片３４０と可動通路板７１０を同一部材で一体に設けることの利点としては、例えば、部品点数の削減によるコスト削減が挙げられる。
【００２６】
次に、本発明の実施の形態１に係るメダル・コイン流下装置の作動状況について、図９および図１０〜１２を用いて説明する。図９は、メダル・コイン通路２０を上側から見た場合を模式的に示した図である。また、図１０〜１２は、図９の説明を補助するために示される図であり、カバープレート１８側から見た場合の作動状況を示している。なお、図１０は図９（ｂ）と、図１１は図９（ｃ）と、図１２は図９（ｄ）と対応している。図９（ａ）は、規定数内であり流下させなければならない５０番目のメダル・コインＭ５０と、規定数を超えるため排除されるべき５１番目のメダル・コインＭ５１が、連続して流下してきた場合を示している。図９（ｂ）において、メダル・コイン検出器３３６は、５０番目のメダル・コインＭ５０を検出し、ソレノイド４００に消磁の指示を発信する。ソレノイド４００の消磁によって、ブロック片３３５とブレーキ片３４０は突出を開始し、図９（ｃ）の状態になる。この際、ブロック片３３５は、５０番目のメダル・コインＭ５０が通過した後にメダル・コイン通路２０に突出するよう調整されている。さらに、ブレーキ片３４０の突出部位７００は、５１番目のメダル・コインＭ５１に接触することによって、５１番目のメダル・コインＭ５１の速度を減少させることになる。続いて図９（ｄ）に示すように、５１番目のメダル・コインＭ５１は、メダル・コイン通路２０に突出したブロック片３３５によってブロックされるとともに、ブレーキ片３４０によってカバープレート１８に押しつけられ、流下を完全に阻止される。５０番目のメダル・コインＭ５０との間隔やタイミングによって、５１番目のメダル・コインＭ５１は、図９（ｅ）で示すように、ブレーキ片３４０に備えられている可動通路板７１０がメダル・コイン通路２０から退避することによって作られる開口部９００から排出されることになる。なお、５１番目のメダル・コインＭ５１以降に投入され流下してくるメダル・コインについても、同様に、開口部９００から排出され、規定数以上のメダル・コインの流下を防止することができる。また、クレジットの貯留数が最大値である５０個より少なくなった場合は、最大貯留数まで受け入れるために、ブロック片３３５とブレーキ片３４０はメダル・コイン通路２０から退避し、メダル・コインを受け入れることになる。
【００２７】
なお、ブレーキ片３４０の機能は、上述したようなメダル・コインの速度を減少させることのみに限定されるものではなく、例えば、ブレーキ片３４０が有する突出部位７００の表面を摩擦係数の大きな材質や形状とすることにより、メダル・コインを急停止させることも可能である。
【００２８】
実施の形態２
次に、本発明の実施の形態２について、図１３〜２０を用いて説明する。なお、前述した従来の技術に示した部材と同一又は類似する部材には、同一符号を付して説明を省略する。
【００２９】
本発明の実施の形態２で特徴的なことは、実施の形態１で説明したブロック片３３５とブレーキ片３４０が同一部材で一体に形成されていることである（以下、ブロック・ブレーキ片と記す）。これにより、部品点数削減、組立工数削減を実施することができ、コスト削減効果をも得ることができる。
【００３０】
本発明の実施の形態２に係るメダル・コイン流下装置の構造について、図１３〜１６を用いて説明する。図１３、１４は、ブロック・ブレーキ片１５００が、メダル・コイン通路２０から退避した状態を示しており、図１５、１６は、ブロック・ブレーキ片１５００が、メダル・コイン通路２０から突出した状態を示している。また、図１３、１５は、ブロック・ブレーキ片１５００をメダル・コイン流下装置の背面から見た拡大図であり、図１４、１６は、ブロック・ブレーキ片１５００をメダル・コイン流下装置の前面から見た拡大図である。
【００３１】
ブロック・ブレーキ片１５００は、例えば、バネ等の付勢部材１５２０によって、常には、メダル・コイン通路２０に突出する方向の力を受けている。装置本体１２に電源が投入されていない場合、当然ソレノイド４００は消磁しているため、ブロック・ブレーキ片１５００は付勢部材１５２０の付勢力によってメダル・コイン通路２０に突出し、メダル・コインの流下を防止している（図１６参照）。装置本体１２に電源が投入され、ソレノイド４００が励磁すると、ブロック・ブレーキ片１５００は付勢部材１５２０の付勢力に反して引っ張られ、メダル・コイン通路２０から退避することになる（図１４参照）。また、図１３、１５で示すとおり、ブロック・ブレーキ片１５００は同一の軸１５１０に設置されており、同一の駆動源によって作動することになる。
【００３２】
さらに、ブロック・ブレーキ片１５００には、メダル・コイン通路２０の一部を形成するための可動通路板１５３０が設けられている。この可動通路板１５３０は、ソレノイド４００が励磁して、ブレーキ片３４０がメダル・コイン通路２０から退避しているときには、メダル・コイン通路２０の一部を構成し、ソレノイド４００が消磁して、ブロック・ブレーキ片１５００がメダル・コイン通路２０から突出しているときには、メダル・コイン通路２０から退避してメダル・コイン通路内に開口部１５４０を形成することになる。この開口部１５４０は、装置本体１２に電源が入っていない場合、あるいは、規定数以上のメダル・コインが流下してきた場合に、メダル・コインを通路外に排出するためのものであり、開口部１５４０から排出されたメダル・コインは、遊技者に返却されることになる。
【００３３】
なお、ブロック・ブレーキ片１５００と可動通路板１５３０は、別部材で設けることができる。つまり、ブロック・ブレーキ片１５００は、ソレノイド４００の消磁・励磁により作動する可動通路板１５３０に当接して連動動作するように構成してもよい。逆に、同一部材で一体に設けることも可能である。ブロック・ブレーキ片１５００と可動通路板１５３０を別部材で設けることの利点として、例えば、メダル詰まりが発生した場合の解除処置を容易に実施できることが挙げられる。また、ブロック・ブレーキ片１５００と可動通路板１５３０を同一部材で一体に設けることの利点としては、例えば、部品点数の削減によるコスト削減が挙げられる。
【００３４】
次に、本発明の実施の形態２に係るメダル・コイン流下装置の作動状況について、図１７および図１８〜２０を用いて説明する。図１７は、メダル・コイン通路２０を上側から見た場合を模式的に示した図である。また、図１８〜２０は、図１７の説明を補助するために示される図であり、カバープレート１８側から見た場合の作動状況を示している。なお、図１８は図１７（ｂ）と、図１９は図１７（ｃ）と、図２０は図１７（ｄ）と対応している。図１７（ａ）は、規定数内であり流下させなければならない５０番目のメダル・コインＭ５０と、規定数を超えるため排除されるべき５１番目のメダル・コインＭ５１が、連続して流下してきた場合を示している。図１７（ｂ）において、メダル・コイン検出器３３６は、５０番目のメダル・コインＭ５０を検出し、ソレノイド４００に消磁の指示を発信する。ソレノイド４００の消磁によって、ブロック・ブレーキ片１５００が有するブロック部１９００とブレーキ部１９１０は突出を開始し、図１７（ｃ）の状態になる。この際、ブロック部１９００は、５０番目のメダル・コインＭ５０が通過した後にメダル・コイン通路２０に突出するよう調整されている。さらに、ブレーキ部１９１０は、５１番目のメダル・コインＭ５１に接触することによって、５１番目のメダル・コインＭ５１の速度を減少させることになる。続いて図１７（ｄ）に示すように、５１番目のメダル・コインＭ５１は、メダル・コイン通路２０に突出したブロック部１９００によってブロックされるとともに、ブレーキ部１９１０によってカバープレート１８に押しつけられ、流下を完全に阻止される。この際、ブロック部１９００のメダル・コイン通路２０への突出量が、ブレーキ部１９１０の突出量よりも大きくなるように設定しておけば、５１番目のメダル・コインＭ５１の流下をより効果的に防止することができる。そのために、ブロック部１９００の長さをブレーキ部１９１０の長さよりも大きくしておくことが好ましい。また、５０番目のメダル・コインＭ５０との間隔やタイミングによって、５１番目のメダル・コインＭ５１は、図１７（ｅ）で示すように、ブロック・ブレーキ片１５００に備えられている可動通路板１５３０がメダル・コイン通路２０から退避することによって作られる開口部１５４０から排出されることになる。なお、５１番目のメダル・コインＭ５１以降に投入され流下してくるメダル・コインについても、同様に、開口部１５４０から排出され、規定数以上のメダル・コインの流下を防止することができる。また、クレジットの貯留数が最大値である５０個より少なくなった場合は、最大貯留数まで受け入れるために、ブロック・ブレーキ片１５００はメダル・コイン通路２０から退避し、メダル・コインを受け入れることになる。
【００３５】
なお、ブロック・ブレーキ片１５００の有するブレーキ部１９１０の機能は、上述したようなメダル・コインの速度を減少させることのみに限定されるものではなく、例えば、ブレーキ部１９１０の表面を摩擦係数の大きな材質や形状とすることにより、メダル・コインを急停止させることも可能である。
【００３６】
【発明の効果】
以上述べたように、本発明は、限られた寸法制約の中で最小限の設計変更を加えることによって、予め定めた個数以上のメダル・コインの流下を確実に防止するメダル・コイン流下装置を提供することを目的として成されたものである。本発明では、この対策として、従来、メダル・コイン通路に設けられていたブロック片の上流に、ブロック片と同一の駆動源で作動するブレーキ片を設けた。このブレーキ片の効果によって、流下してくるメダル・コインの速度を低減し、規定数以上のメダル・コインの流下を確実に防止することができる。
【００３７】
さらに、ブレーキ片には、メダル・コイン通路の一部を形成するための可動通路板を形成した。この可動通路板は、ブレーキ部がメダル・コイン通路から退避しているときに、メダル・コイン通路の一部を形成し、ブレーキ部がメダル・コイン通路に突出しているときに、メダル・コイン通路から退避してメダル・コイン通路内に開口部を形成し、流下するメダル・コインを開口部からメダル・コイン通路外に排出するために設けられるものである。ブレーキ片と可動通路板の効果によって、流下してくる規定数以上のメダル・コインをブロックし、あるいはブレーキをかけるとともに、開口部から通路外に排出することによって、規定数以上のメダル・コインの流下を確実に防止することができる。
【００３８】
また、ブロック片とブレーキ片を同一部材で一体に形成することにより、部品点数削減、組立工数削減を実施することができ、コスト削減効果をも得ることができる。
【００３９】
ブロック片とブレーキ片を同一部材で一体に形成する際には、ブロック片のメダル・コイン通路への突出量をブレーキ片の突出量よりも大きくすることにより、メダル・コインの流下防止効果をさらに高めることができる。
【図面の簡単な説明】
【図１】本発明の実施の形態１に係るメダル・コイン流下装置の全体構造を示す斜視図であり、カバープレートを開けた状態を示す図である。
【図２】図１で示した本発明の実施の形態１に係るメダル・コイン流下装置を背面から見た場合の斜視図である。
【図３】本発明の実施の形態１に係るブロック片とブレーキ片が、メダル・コイン通路から退避した状態を、メダル・コイン流下装置の背面から見た拡大図である。
【図４】本発明の実施の形態１に係るブロック片とブレーキ片が、メダル・コイン通路から退避した状態を、メダル・コイン流下装置の前面から見た拡大図である。
【図５】本発明の実施の形態１に係るブレーキ片の構造を説明するための縦断面図であり、ブレーキ片がメダル・コイン通路から退避した場合を示す図である。
【図６】本発明の実施の形態１に係るブロック片とブレーキ片が、メダル・コイン通路から突出した状態を、メダル・コイン流下装置の背面から見た拡大図である。
【図７】本発明の実施の形態１に係るブロック片とブレーキ片が、メダル・コイン通路から突出した状態を、メダル・コイン流下装置の前面から見た拡大図である。
【図８】本発明の実施の形態１に係るブレーキ片の構造を説明するための縦断面図であり、ブレーキ片がメダル・コイン通路から突出した場合を示す図である。
【図９】本発明の実施の形態１に係るメダル・コイン流下装置の作動状況を説明するための図であり、メダル・コイン通路を上側から見た場合を模式的に示した図である。
【図１０】図９の説明を補助するために示される、図９（ｂ）と対応する図であり、カバープレート側から見た場合の作動状況を示す図である。
【図１１】図９の説明を補助するために示される、図９（ｃ）と対応する図であり、カバープレート側から見た場合の作動状況を示す図である。
【図１２】図９の説明を補助するために示される、図９（ｄ）と対応する図であり、カバープレート側から見た場合の作動状況を示す図である。
【図１３】本発明の実施の形態２に係るブロック・ブレーキ片が、メダル・コイン通路から退避した状態を、メダル・コイン流下装置の背面から見た拡大図である。
【図１４】本発明の実施の形態２に係るブロック・ブレーキ片が、メダル・コイン通路から退避した状態を、メダル・コイン流下装置の前面から見た拡大図である。
【図１５】本発明の実施の形態２に係るブロック・ブレーキ片が、メダル・コイン通路から突出した状態を、メダル・コイン流下装置の背面から見た拡大図である。
【図１６】本発明の実施の形態２に係るブロック・ブレーキ片が、メダル・コイン通路から突出した状態を、メダル・コイン流下装置の前面から見た拡大図である。
【図１７】本発明の実施の形態２に係るメダル・コイン流下装置の作動状況を説明するための図であり、メダル・コイン通路を上側から見た場合を模式的に示した図である。
【図１８】図１７の説明を補助するために示される、図１７（ｂ）と対応する図であり、カバープレート側から見た場合の作動状況を示す図である。
【図１９】図１７の説明を補助するために示される、図１７（ｃ）と対応する図であり、カバープレート側から見た場合の作動状況を示す図である。
【図２０】図１７の説明を補助するために示される、図１７（ｄ）と対応する図であり、カバープレート側から見た場合の作動状況を示す図である。
【図２１】従来の技術に係るメダル・コイン流下装置の構造を説明するための斜視図であり、カバープレートを開けた状態を示す図である。
【図２２】図２１に示すメダル・コイン流下装置のカバープレートを閉じた状態を示す正面図である。
【符号の説明】
１０  メダル・コイン流下装置、１２  装置本体、１４  入口、１６  ベース、１８  カバープレート、２０  メダル・コイン通路、２１  出口、２４  幅規制ガイド、２６，２８  厚さ規制リブ、３０  斜面、３２  排除窓、３４  排除爪、３５，３３５  ブロック片、３６，３３６  メダル・コイン検出器、３８，３３８  メダル・コイン計数器、３４０  ブレーキ片、４００  ソレノイド、５３５，５４０，１５２０  付勢部材、５００  駆動軸、７００  ブレーキ片突出部位、７１０，１５３０  可動通路板、９００，１５４０  開口部、１５００  ブロック・ブレーキ片、１９００  ブロック部、１９１０  ブレーキ部、Ｍ５０
５０番目のメダル・コイン、Ｍ５１  ５１番目のメダル・コイン。
【図１】
2004208861.tif 000003
【図２】
2004208861.tif 000004
【図３】
2004208861.tif 000005
【図４】
2004208861.tif 000006
【図５】
2004208861.tif 000007
【図６】
2004208861.tif 000008
【図７】
2004208861.tif 000009
【図８】
2004208861.tif 000010
【図９】
2004208861.tif 000011
【図１０】
2004208861.tif 000012
【図１１】
2004208861.tif 000013
【図１２】
2004208861.tif 000014
【図１３】
2004208861.tif 000015
【図１４】
2004208861.tif 000016
【図１５】
2004208861.tif 000017
【図１６】
2004208861.tif 000018
【図１７】
2004208861.tif 000019
【図１８】
2004208861.tif 000020
【図１９】
2004208861.tif 000021
【図２０】
2004208861.tif 000022
【図２１】
2004208861.tif 000023
【図２２】
2004208861.tif 000024